(57)【要約】【課題】  この考案は、携帯用機器に連結される第１ストラップ具と、該第１ストラップ具を着脱可能に連結する第２ストラップ具とからなる携帯用ストラップに関する。【解決手段】  第１ストラップ具が、前記携帯用機器に連結するためのループ状の紐部と、該紐部を固定する止め具とを有し、先端に掛止部を設けてなり、第２ストラップ具が、前記掛止部を着脱可能に掛止める係止具を有しており、該係止具が、掛止部の少なくとも一部を挿入する挿入溝部と、該挿入溝部の上面を塞ぐ方向に拘束位置と前記挿入溝部を開く開放位置とに進退可能な拘束片部と、該拘束片部を拘束位置方向に付勢する付勢手段と、前記拘束片部を上記付勢力に抗して開放位置に退動させる退動操作部とを有してなることを特徴とする。【選択図】図１
0003124227.tif 000002
【実用新案登録請求の範囲】
【請求項１】
携帯電話やデジタルカメラなどの携帯用機器に連結される第１ストラップ具と、該第１ストラップ具を着脱可能に連結する第２ストラップ具とからなる携帯用ストラップにおいて、
第１ストラップ具が、前記携帯用機器に連結するためのループ状の紐部と、該紐部を固定する止め具とを有し、先端に掛止部を設けてなり、
第２ストラップ具が、前記掛止部を着脱可能に掛止める係止具を有しており、  該係止具が、掛止部の少なくとも一部を挿入する挿入溝部と、
該挿入溝部の上面を塞ぐ方向に拘束位置と前記挿入溝部を開く開放位置とに進退可能な拘束片部と、
該拘束片部を拘束位置方向に付勢する付勢手段と、
前記拘束片部を上記付勢力に抗して開放位置に退動させる退動操作部とを有してなることを特徴とする携帯用ストラップ。
【請求項２】
挿入溝部が、基盤上に設けられて退動操作部を有する操作部ケーシングの外周壁面の一部を挿入溝部の一方の側壁面とし、前記基盤上で前記操作部ケーシングの外側に前記一方の側壁面と所定の間隔を隔てて対峙する壁面を設けて他方の側壁面とし、
両側壁面に囲まれた基盤上面を溝底面として形成されていることを特徴とする請求項１に記載の携帯用ストラップ。
【請求項３】
操作部ケーシングが、外周壁面に開口を設けて、対向する挿入溝部の他方の側壁面に向けて拘束片部を出没自在に設けており、
前記操作部ケーシング上に出没自在なボタン状の退動操作部を設け、
該退動操作部の下部に前記拘束片部を上から押圧する押圧部を設け、
該押圧部の下面または該押圧部が接する拘束片部の上面に、押圧部を押し下げると拘束片部を後退させるカム面を形成してなることを特徴とする請求項１に記載の携帯用ストラップ。
【請求項４】
操作部ケーシングが、外周壁面に開口を設けて、対向する挿入溝部の他方の側壁面に向けて拘束片部を出没自在に設けており、
該拘束片部に一体にまたは連動可能に摘み状の退動操作部を設け、該退動操作部の先端が操作部ケーシング上に形成されて前記拘束片部の進退方向に延びる長孔内に突出しており、
前記退動操作部を長孔に沿ってスライドすることで、拘束片部を進退動させることを特徴とする請求項１に記載の携帯用ストラップ。
【請求項５】
拘束片部が、操作部ケーシングから突出する拘束方向に付勢されていることを特徴とする請求項４に記載の携帯用ストラップ。
【考案の詳細な説明】
【技術分野】
【０００１】
この考案は、携帯電話やデジタルカメラなどの携帯用機器に連結される第１ストラップ具と、該第１ストラップ具を着脱可能に連結する第２ストラップ具とからなる携帯用ストラップの改良に関する。
【背景技術】
【０００２】
携帯用ストラップとして、例えば実用新案登録第３１００２２９号のように、第１ストラップ具と、該第１ストラップ具を着脱可能に連結する第２ストラップ具とからなる携帯用ストラップが知られている。
上記構成では、第２ストラップ具の掛止具に、第１ストラップ具の第２紐部を掛止める際に、第２紐部に沿って締付具を摺動し、先端に形成されるループを拡縮して前記掛止部に第２紐部を固定している。
しかし、上記構成では、第１ストラップ部の第２紐部を掛止部に掛け止めてから締付具でループを縮めて掛止部に緊締しており、締付具が緩むとループが大きくなって掛止部から抜け落ちる虞れがある。
また、第１ストラップは、ループを拡縮する必要があるため、リングなどの形状が固定された部材を用いることができない欠点があった。
【特許文献１】実用新案登録第３１００２２９号
【考案の開示】
【考案が解決しようとする課題】
【０００３】
この考案は上記事情に鑑みて創案されたものであって、その主たる課題は、第１ストラップ具に定形の紐部やリングなどの無端部材からなる掛止部が取り付けられている場合であっても、第２ストラップ具に前記掛止部を係脱する係止部を設けることで、確実に第１ストラップ部を第２ストラップ具に着脱可能に連結することができる携帯用ストラップを提供することにある。
【課題を解決するための手段】
【０００４】
この考案は、上記課題を達成するために、請求項１の考案では、
携帯電話やデジタルカメラなどの携帯用機器に連結される第１ストラップ具と、該第１ストラップ具を着脱可能に連結する第２ストラップ具とからなる携帯用ストラップにおいて、
第１ストラップ具が、前記携帯用機器に連結するためのループ状の紐部と、該紐部を固定する止め具とを有し、先端に掛止部を設けてなり、
第２ストラップ具が、前記掛止部を着脱可能に掛止める係止具を有しており、  該係止具が、掛止部の少なくとも一部を挿入する挿入溝部と、
該挿入溝部の上面を塞ぐ方向に拘束位置と前記挿入溝部を開く開放位置とに進退可能な拘束片部と、
該拘束片部を拘束位置方向に付勢する付勢手段と、
前記拘束片部を上記付勢力に抗して開放位置に退動させる退動操作部とを有してなることを特徴とする。
また、請求項２の発明では、
前記挿入溝部が、基盤上に設けられて退動操作部を有する操作部ケーシングの外周壁面の一部を挿入溝部の一方の側壁面とし、前記基盤上で前記操作部ケーシングの外側に前記一方の側壁面と所定の間隔を隔てて対峙する壁面を設けて他方の側壁面とし、
両側壁面に囲まれた基盤上面を溝底面として形成されていることを特徴とする。
請求項３の発明では、
前記操作部ケーシングが、外周壁面に開口を設けて、対向する挿入溝部の他方の側壁面に向けて拘束片部を出没自在に設けており、
前記操作部ケーシング上に出没自在なボタン状の退動操作部を設け、
該退動操作部の下部に前記拘束片部を上から押圧する押圧部を設け、
該押圧部の下面または該押圧部が接する拘束片部の上面に、押圧部を押し下げると拘束片部を後退させるカム面を形成してなることを特徴とする。
また、請求項４の発明では、
前記操作部ケーシングが、外周壁面に開口を設けて、対向する挿入溝部の他方の側壁面に向けて拘束片部を出没自在に設けており、
該拘束片部に一体にまたは連動可能に摘み状の退動操作部を設け、該退動操作部の先端が操作部ケーシング上に形成されて前記拘束片部の進退方向に延びる長孔内に突出しており、
前記退動操作部を長孔に沿ってスライドすることで、拘束片部を進退動させることを特徴とする。
更に、請求項５の発明では、
前記拘束片部が、操作部ケーシングから突出する拘束方向に付勢されていることを特徴とする。
【考案の効果】
【０００５】
この考案では、第１ストラップ具に定形の掛止部が設けられている場合であっても、第２ストラップ具に係止具を設けることで、係止具の挿入溝部に掛止部の一部を挿入し、挿入された掛止部を拘束片部で拘束して連結することができる。
また、拘束片部は、ボタンまたは摘みなどからなる退動操作部によりワンタッチで拘束ないし拘束解除を行うことができ、誰でも簡単且つ確実に連結および分離を行うことができる。
【考案を実施するための最良の形態】
【０００６】
この発明は、第２ストラップ具の係止部に拘束部を設けて、第１ストラップ具の掛止部を拘束することで、着脱を簡単且つ確実に行うことを実現した。
以下に、この考案の携帯用ストラップを携帯電話に適用した場合の好適実施例について図面を参照しながら説明する。
【実施例】
【０００７】
図１は、携帯電話Ｋに携帯用ストラップ１を装着した実施例１の正面図である。
携帯用ストラップ１は、携帯電話Ｋに連結される第１ストラップ具２と、該第１ストラップ具２を着脱可能に連結する第２ストラップ具２０とからなっている。
【０００８】
［第１ストラップ具］
第１ストラップ具２は、携帯電話Ｋに連結するためのループ状の紐部（松葉ひも）３と、該紐部３を固定する止め具５とを有し、先端にリング状の掛止部４を設けている。
図示例では、止め具５と掛止部４とは一体に形成されているが別体として止め具５と掛止部４との間に第２紐部を介設してもよい。
また止め具５には、紐部３を固定しているが、紐部３は止め具５に着脱可能に連結する構造であってもよい。
【０００９】
この第１ストラップ具２は、第２図に示すように、掛止部４が三角形のリング状（図２（ａ）参照）その他の無端形状に形成されたもの、掛止部４が略Ｔ字状（図２（ｂ）参照）その他の溝部に挿入可能な片を有するもの、一端が分離した略リング形状（図２（ｃ）参照）などの種々形状であってもよく、また前述のようにループ状の紐部であってもよい。
この紐部の場合、定形に限らず、従来のように締付具を用いてループを拡縮可能としたものでもよいこと勿論である。
【００１０】
［第２ストラップ具］
次ぎに、図３および図６に示す第２ストラップ具２０は、第１ストラップ具２を着脱可能に連結すると共に、使用者の身体などに掛止めるために用いられる。
この第２ストラップ具２０は、図示例の場合、ループ状のストラップ本体２０ａの先端に前記掛止部４を係止する係止部２１を有している。
ここでストラップ本体２０は、リープ状からなっているが、適宜着脱手段を設けてあってもよいし、リープの大きさを調整しうるものでもよい。
【００１１】
係止部２１は、図３で示すように、前記掛止部４の少なくとも一部を挿入する挿入溝部３０と、該挿入溝部３０の上面を塞ぐ方向に拘束位置と前記挿入溝部を開く開放位置とに進退可能な拘束片部４０と、該拘束片部４０を拘束位置方向に付勢する付勢手段Ｓと、前記拘束片部４０を上記付勢力に抗して開放位置に退動させる退動操作部５０とを有している。
【００１２】
［挿入溝部］
挿入溝部３０は、対向する側壁面３１、３２と、その間の底面となる溝底面３３から構成されている。
即ち、前記係止部２１の基盤２２上には、退動操作部５０を有する操作部ケーシング５１が突設されており、該操作部ケーシング５１の外周壁面５２の一部を挿入溝部３０の一方の側壁面３１としている。
【００１３】
また、前記基盤２２上で前記操作部ケーシング５１の外側に前記一方の側壁面３１と所定の間隔を隔てて対峙する壁面を設けて他方の側壁面３２としている。
この他方の側壁部３２は、図示例の場合、係止部２１にストラップ本体２０ａを通すための台部２０Ａの内壁面となっているが、側壁面３２とストラップ本体２０ａを通す部分（台部に限らず孔でもよい）とは別体に形成されるものでもよい。
そして、両側壁面３１、３２に囲まれた基盤２２上面を溝底面３３として挿入溝部３０が形成されている。
【００１４】
［拘束片部］
拘束片部４０は、操作部ケーシング５１に設けられている。
即ち、操作部ケーシング５１が外周壁面に開口５２ａを設けており、対向する挿入溝部３０の他方の側壁面３２に向けて拘束片部４０が出没自在に取り付けられている。
【００１５】
拘束片部４０は、先端に向かって下降するガイド用の傾斜面を有する爪状の頭部４１と、該頭部４１の後方に設けられた本体部４２の上面に形成されて、後述の押圧部の下降により後方へスライドするカムとなる傾斜面４３を有する凹部４４と、本体部の後方から中途位置まで延びる横穴部４５と、該横穴部に突出された杆状のスプリング掛止杆４６とを有している。
【００１６】
［操作部ケーシング］
基盤２２には、前記拘束片部４０の進退動をガイドする一対のガイド壁２３が平行に設けられており先端が前記開口５２ａとなっている。
図示例の場合、拘束片部４０は、円形の基盤２２の中心から周方向に等間隔で３つ設けられており、放射状に延びる一対のガイド壁２３がそれぞれに形成されており、各ガイド壁２３は操作部ケーシング５１の円弧状の外周壁５２によって連設されている。
【００１７】
前記３対のガイド壁２３によって囲まれた操作部ケーシング５１の中央には、略三角柱状のスプリング支持台５５が突設されており、前記拘束片部４０の横穴部４５に先端が挿入されたスプリングＳの基端が支承されている。
これにより、前記拘束片部４０は、常時、拘束方向に向かって付勢されている（図５参照）。
【００１８】
操作部ケーシング５１の上面には、中央に大径の貫通穴を有するキャップ５６が取り付けられている。  
上記貫通孔には、ボタン状の退動操作部５０が昇降自在に嵌め込まれている。
この退動操作部５０の下端には、外方へ延びるプレート状の押圧部５１が形成されており、該押圧部５１は、前記拘束片部４０の傾斜面４３と接する位置に配置されている。
【００１９】
そこで、ボタン状の退動操作部５０が押し下げられると、前記傾斜面４３に沿って拘束片部４０が付勢力に抗して操作部ケーシング５１内に押し戻されて後退する。
これにより拘束片部４０は。前記挿入溝部３０の上方を開くので掛止部４の拘束を解除する（図６（ｂ）参照）。
【００２０】
ボタン状の退動操作部５０に力がかからなくなると、前記スプリングＳの反発力によって、拘束片部４０がガイド壁２３に沿って突出し、挿入溝部３０の上方を塞ぎ、拘束位置となる（図）６（ａ）参照）。
これと同時にボタン状の退動操作部５０も上昇して元の位置に復帰する。
【００２１】
この際に、予め掛止部４を挿入溝部３０に嵌め込んでいてもよいが、前記拘束片部４０の頭部４１は傾斜面となっているので、掛止部４を頭部４１の上から下向きに押し込むことで、頭部４１は掛止部４が通過して挿入溝部３０に入るまで退動し、付勢力で拘束位置に自動的に復帰する。
【００２２】
［拘束片部の異なる実施例］
次ぎに、図７および図８に示す拘束片部４０は前記実施例と同様に、前記操作部ケーシング５１の外周壁面５３に開口５２ａを設けて、対向する挿入溝部３０の他方の側壁面３２に向けて拘束片部４０を出没自在に設けている。
【００２３】
該拘束片部４０には一体に摘み状の退動操作部５０が設けられている。
該退動操作部５０の先端が、操作部ケーシング５１上面となるキャップ５６に形成された長孔５７内に突出している。
該長孔５７は、前記拘束片部４０の進退方向に延びている。
【００２４】
従って、前記摘み状の退動操作部５０を長孔５７に沿ってスライドすることで、拘束片部４０を進退動させることができる。
上記実施例で退動操作部５０は拘束片部４０と一体に形成したが、リンクを介するなどして連動させる構成であってもよい。
その他の構造は前記実施例に準じるので、その説明を省略する。
【００２５】
図９は、第１ストラップ具２の掛止部４が略Ｔ字状の場合に、第２ストラップ具２０の挿入溝部３０もほぼ同様の平面から見てＴ字状の溝からなっている。
そして、図示例では、拘束片部４０が先端で分岐する一対の爪状の頭部４１、４１を有している。
【００２６】
この拘束片部４０には一体に断面楕円形状の摘みからなる退動操作部５０を突出しており、長孔５７内で所定のストロークで進退方向に摺動しうる構成となっている。
また、拘束片部４０には基端が固定されたスプリングＳの先端が嵌め込まれており、拘束片部４０を挿入溝部３０の上部を覆う方向に付勢されており、拘束片部４０の頭部４１が挿入溝部３０に嵌め込まれた掛止部４を拘束するようになっている。
【００２７】
この拘束片部４０は、前記退動操作部５０を後退させることで、前記スプリングＳの付勢力に抗して拘束片部４０の頭部４１、４１を操作部ケーシング５１内に没入させることができる。
上記実施例の場合、挿入溝部３０を平面から見て円弧状の溝部としたが、挿入溝部３０の形状は、掛止部を係合しうる形状であればよく、上記実施例に限定されるものではない。
【００２８】
また、拘束片部４０を進退動させる機構は、一例を示すものであって、その他の公知の進退動機構に置き換えてもよい。
また、拘束部と摘み状の退動操作部を一体とした場合には、拘束部にスプリングなどの付勢手段を設けず、手動で拘束ないし拘束解除位置に変位する構成としてもよい。
その他、前記各実施例の構成はそれぞれ置き換えて用いてもよい。
要するにこの発明の要旨を変更しない範囲で種々設計変更しうること勿論である。
【図面の簡単な説明】
【００２９】
【図１】携帯用ストラップを携帯電話に装着した状態の正面図である。
【図２】（ａ）は第１ストラップ具の掛止部の異なる実施例を示す正面図、（ｂ）は同じく掛止部の更に別の実施例の正面図、（ｃ）は第１ストラップ具の更に異なる実施例の正面図である。
【図３】第２ストラップ具に第１ストラップ具を取り付ける状態を示す分解斜視図である。
【図４】第２ストラップ具に第１ストラップ具を取り付けた状態を示す斜視図である。
【図５】第２ストラップの内部構造を示すキャップを取り外した状態の平面図である。
【図６】（ａ）は拘束片部の拘束位置を示す部分断面図、（ｂ）は拘束片部の拘束解除位置を示す部分断面図である。
【図７】（ａ）は異なる拘束片部の拘束位置を示す平面図、（ｂ）は拘束片部の拘束解除位置を示す平面図である。
【図８】（ａ）は図７の拘束片部の拘束位置を示す部分断面図、（ｂ）は拘束片部の拘束解除位置を示す部分断面図である。
【図９】掛止部が異なる形状に用いる拘束部の正面図である。
【符号の説明】
【００３０】
１    携帯用ストラップ
２    第１ストラップ具
３    第１紐部
４    掛止部
５    止め具
２０    第２ストラップ具
３０    挿入溝部
４０    拘束片部
５０    退動操作部
５１    操作部ケーシング
【図１】
0003124227.tif 000003
【図２】
0003124227.tif 000004
【図３】
0003124227.tif 000005
【図４】
0003124227.tif 000006
【図５】
0003124227.tif 000007
【図６】
0003124227.tif 000008
【図７】
0003124227.tif 000009
【図８】
0003124227.tif 000010
【図９】
0003124227.tif 000011